(57)【特許請求の範囲】
【請求項１】
複数枚の衛生薄紙が折り畳まれてなる折り畳み衛生薄紙束およびロール状衛生薄紙のいずれか一方を選択的に収容する袋体を備え、
前記袋体は、伸縮性の生地を用いて形成された伸縮可能な口部を有し、折り畳み衛生薄紙束の衛生薄紙またはロール状衛生薄紙を前記口部から出し入れ可能に構成されており、
前記袋体の口部の大きさが、直径３〜１０ｃｍの円内に収まる大きさに設定されていることを特徴とする衛生薄紙ホルダー。
【請求項２】
前記袋体は、外側生地部と内側生地部とを有する二重構造である請求項１に記載の衛生薄紙ホルダー。
【請求項３】
前記外側生地部と前記内側生地部との間に充填された粒子状の充填材をさらに備えた請求項２に記載の衛生薄紙ホルダー。
【請求項４】
折り畳み衛生薄紙束における最後使用分の衛生薄紙と折り重ねられた状態で前記袋体内に収容されるストッパーシートをさらに備えた請求項１〜３のいずれか１つに記載の衛生薄紙ホルダー。
【請求項５】
ロール状衛生薄紙の外周面を覆う状態で前記袋体内に収容されるカバーシートをさらに備えた請求項１〜３いずれか１つに記載の衛生薄紙ホルダー。
【請求項６】
前記袋体に取り付けられた紐をさらに備えた請求項１〜５のいずれか１つに記載の衛生薄紙ホルダー。
【請求項７】
前記袋体の外面に設けられた紐またはベルトを挿通可能な輪部をさらに備えた請求項１〜６のいずれか１つに記載の衛生薄紙ホルダー。
【発明の詳細な説明】
【技術分野】
【０００１】
本発明は、ティシュペーパー、トイレットペーパーといった衛生薄紙を収容する衛生薄紙ホルダーに関する。
【背景技術】
【０００２】
家庭やオフィス等で使用されるティッシュペーパーとしては、複数の衛生薄紙がポップアップ式に折り畳まれて紙箱内に収容されたものが一般的である（例えば、特許文献１参照）。
【０００３】
風邪や花粉症等を患って鼻水が頻繁に出る人はティッシュペーパーを大量に使用する傾向がある。このような人は自宅やオフィスにおいて紙箱入りのティッシュペーパーを使用するが、外出する際は紙箱入りのティッシュペーパーでは嵩張って小さい鞄に入らない場合がある、紙箱入りのティッシュペーパーを持ち運ぶことが格好悪く観られる、恥ずかしい等の理由から、通常はポケットティッシュを携帯することになる。
【先行技術文献】
【特許文献】
【０００４】
【特許文献１】特開２００４−２６２８０号公報
【発明の概要】
【発明が解決しようとする課題】
【０００５】
しかしながら、１個のポケットティッシュの量は、２枚１組となったティッシュペーパーが１０組程度と少ないため、ポケットティッシュを大量に持ち運ばねばならず不経済であった。また、外出先でも必要な時に直ぐティッシュペーパーを取り出せるように鞄のみならず服やズボンのポケットにもポケットティッシュを入れておく必要があるため、ポケットに他の物が入れられなくなる、ポケットティッシュでポケットが膨れて服装の見栄えが悪くなる等の不具合があった。
【０００６】
本発明はこのような課題に鑑みてなされたものであり、ティシュペーパー、トイレットペーパーといった衛生薄紙を経済的に使用でき、かつ持ち運びに便利な衛生薄紙ホルダーを提供することを目的とする。
【課題を解決するための手段】
【０００７】
かくして、本発明によれば、複数枚の衛生薄紙が折り畳まれてなる折り畳み衛生薄紙束およびロール状衛生薄紙のいずれか一方を選択的に収容する袋体を備え、
前記袋体は、伸縮性の生地を用いて形成された伸縮可能な口部を有し、折り畳み衛生薄紙束の衛生薄紙またはロール状衛生薄紙を前記口部から出し入れ可能に構成されており、
前記袋体の口部の大きさが、直径３〜１０ｃｍの円内に収まる大きさに設定されている衛生薄紙ホルダーが提供される。
【発明の効果】
【０００８】
本発明の衛生薄紙ホルダーによれば、次の効果を奏する。
紙箱内から取り出した真新しい折り畳み衛生薄紙束（所謂ティッシュペーパー）を袋体内に収容し、衛生薄紙の一端を袋体の口部から外部へ引き出しておくことにより、衛生薄紙を１枚または１組みずつ引き出して使用することができる。なお、ここで言う「１組み」とは、２枚１組みで使用できる衛生薄紙を意味する。
あるいは、真新しいロール状衛生薄紙（所謂トイレットペーパー）を袋体内に収容し、衛生薄紙の一端を袋体の口部から外部へ引き出しておくことにより、衛生薄紙を必要な長さだけ引き出して使用することができる。
また、この衛生薄紙ホルダーは袋体にて中の折り畳み衛生薄紙束またはロール状衛生薄紙を保護しているため、鮨詰めの鞄内に押し込んでも衛生薄紙が潰れたり破れたりすることはなく、衛生的かつスムーズに使用できる。
また、衛生薄紙ホルダーの袋体内には各種サイズの衛生薄紙を収容できるため、サイズ（規格）が異なる世界各国の衛生薄紙に適用可能である。
【０００９】
すなわち、本発明の衛生薄紙ホルダーによれば、袋体内に大量の衛生薄紙を収容することができ、しかも携帯にも便利であるため、風邪や花粉症等を患って鼻水が頻繁に出てしまう使用者は残量を心配することなく衛生薄紙を外出先で大量に使用することができる。また、従来では複数個のポケットティッシュを服やズボンの各ポケットさらには鞄の中に収容して外出しなければならなかったが、本発明の衛生薄紙ホルダーを使用すればこのような煩わしさから解放される。それに加え、ポケットティッシュを大量に使用する場合に比べて経済的であり、ロール状衛生薄紙を使用すればさらに経済的である。
【００１０】
また、本発明の衛生薄紙ホルダーは、携帯用として使用できるだけでなく、家庭やオフィス等の屋内、自動車等の乗り物内においても当然使用することができる。また、家庭やオフィス内において、紙箱入りのティッシュペーパーは人に向けて投げ渡すと危険であるが、折り畳み衛生薄紙束を収容した本発明の衛生薄紙ホルダーはクッションのように柔らかいため人に向かって投げ渡しても危険はなく、例えば、家庭内において家族間でキャッチボールのような投げ渡しが可能となる。
【００１１】
また、本発明の衛生薄紙ホルダー内に複数枚折り畳まれたキッチンペーパーやウェットティッシュを収容して使用することもできる。ウェットティッシュの場合、プラスチック製の袋を介して衛生薄紙ホルダー内に収容すれば、ウェットティッシュの水分が衛生薄紙ホルダーの袋体に吸収されるのを防ぐことができる。キッチンペーパーやウェットティッシュを本発明の衛生薄紙ホルダー内に収容することにより、例えば、キャンプやハイキング等へ大量に携帯することができ、野外での調理や手拭きに使用できて衛生的かつ便利である。無論、衛生薄紙ホルダー内にキッチンペーパーやウェットティッシュを収容して家庭やオフィス等の屋内、自動車等の乗り物内で使用してもよい。
【図面の簡単な説明】
【００１２】
【図１】本発明の衛生薄紙ホルダーの実施形態１の使用状態であって図１（Ａ）は正面図を示し、図１（Ｂ）は平面図を示す。
【図２】実施形態１の衛生薄紙ホルダーの使用状態における断面図である。
【図３】実施形態１の衛生薄紙ホルダー内に収容される折り畳み衛生薄紙束の折り畳み方を説明する模式図である。
【図４】実施形態１の衛生薄紙ホルダーの製造方法を説明する第１の図である。
【図５】実施形態１の衛生薄紙ホルダーの製造方法を説明する第２の図である。
【図６】実施形態２の衛生薄紙ホルダーの使用状態における断面図である。
【図７】実施形態３の衛生薄紙ホルダーの使用状態における断面図である。
【図８】実施形態４の衛生薄紙ホルダーの使用状態における断面図である。
【図９】実施形態５の衛生薄紙ホルダーの使用状態における断面図である。
【図１０】実施形態６の衛生薄紙ホルダーの使用状態における断面図である。
【図１１】実施形態７の衛生薄紙ホルダーの使用状態における斜視図である。
【図１２】実施形態７の衛生薄紙ホルダーをベビーカーに吊り下げた使用状態を示す説明図である。
【図１３】実施形態８の衛生薄紙ホルダーの使用状態における斜視図である。
【図１４】実施形態８の衛生薄紙ホルダーを紐を用いて使用者の肩に掛けた使用状態を示す説明図である。
【図１５】実施形態９の衛生薄紙ホルダーの使用状態における斜視図である。
【図１６】実施形態９の衛生薄紙ホルダーをベルトを用いて使用者の腰に付けた使用状態を示す説明図である。
【図１７】実施形態１０の衛生薄紙ホルダーの使用状態を説明する図である。
【発明を実施するための形態】
【００１３】
本発明の衛生薄紙ホルダーは、複数枚の衛生薄紙が折り畳まれてなる折り畳み衛生薄紙束およびロール状衛生薄紙のいずれか一方を選択的に収容する袋体を備え、
前記袋体は、伸縮性の生地を用いて形成された伸縮可能な口部を有し、折り畳み衛生薄紙束の衛生薄紙またはロール状衛生薄紙を前記口部から出し入れ可能に構成されており、
前記袋体の口部の大きさが、直径３〜１０ｃｍの円内に収まる大きさに設定されている。
【００１４】
このように構成された本発明の衛生薄紙ホルダーは、前記袋体の口部の大きさが、直径３〜１０ｃｍの円内に収まる大きさに設定されているため、口部からスムーズに衛生薄紙を引き出すことができる。
また、前記袋体が伸縮性の生地からなることにより、衛生薄紙の内容量、種類、形状等の違いに応じて袋体が伸縮するため、袋体によってその内部の衛生薄紙がしっかり保持される。そのため、折り畳み衛生薄紙束の場合、残量が少なくなると揺さぶりによって袋体内でばらけ易いが、袋体の伸縮性によってしっかり保持されるためばらけが抑制される。
【００１５】
本発明の衛生薄紙ホルダーは次のように構成されてもよい。
（１）前記袋体は、外側生地部と内側生地部とを有する二重構造であってもよい。
このようにすれば、外側生地部と内側生地部内との間に空気緩衝層が形成されるため、この空気緩衝層によってクッション性が高まり、それによって鞄内への押し込みまたは投げ渡しによる衛生薄紙ホルダー内の衛生薄紙（特に折り畳み衛生薄紙束）の型崩れが抑制される。なお、本発明において、袋体は二重構造に限定されるものではなく多重構造であってもよい。
【００１６】
（２）前記外側生地部と前記内側生地部との間に充填された粒子状の充填材をさらに備えてもよい。
このようにすれば、外側生地部と内側生地部内との間に微粒子による充填材緩衝層が形成されるためクッション性が高まると共に、充填材緩衝層が袋体の底部を形成するため、口部が上方に開口する姿勢を保ちやすくなると共に、衛生薄紙ホルダー内の折り畳み衛生薄紙束およびロール状衛生薄紙の型崩れがより一層抑制される。また、外側生地部と内側生地部内との間の空間の下部（口部と反対側の底部）に微粒子が溜まりやすいため、折り畳み衛生薄紙束が充填材緩衝層によって口部側に押し上げられ、最後の衛生薄紙まで取り出し易くなる。
【００１７】
（３）折り畳み衛生薄紙束における最後使用分の衛生薄紙と折り重ねられた状態で前記袋体内に収容されるストッパーシートをさらに備えてもよい。
このようにすれば、ストッパーシートによって残量が少なくなった折り畳み衛生薄束が一度に全て引き出されるということが防止される。すなわち、最後まで１枚ずつ衛生薄紙を引き出すことができる。
【００１８】
（４）ロール状衛生薄紙の外周面を覆う状態で前記袋体内に収容されるカバーシートをさらに備えてもよい。
この場合、例えば、芯を有さないロール状衛生薄紙の外周面をＣ形のカバーシートで覆い、ロール状衛生薄紙をその孔が口部に向いた状態で縦向きにして袋体内に収容する。このようにすれば、ロール衛生薄紙の孔にある端部を口部から外部へ引き出して使用することができると共に、ロール状衛生薄紙の型崩れが防止されて最後までスムーズに引き出すことができる。
あるいは、芯を有するまたは有さないロール状衛生薄紙の外周面をＣ形のカバーシートで覆い、ロール衛生薄紙の外周面にある端部をカバーシートのＣ形の開口を通し、カバーシートの前記開口が口部を向くようにしてロール状衛生薄紙を横向きにして袋体内に収容する。このようにすれば、ロール状衛生薄紙の端部を口部から外部へ引き出して使用することができると共に、ロール状衛生薄紙の型崩れが防止されて最後までスムーズに引き出すことができる。
【００２０】
（５）前記袋体に取り付けられた紐をさらに備えてもよい。この場合、紐は１本でも２本以上でもよい。紐を１本とする場合、例えば、袋体の口部付近に紐の両端を縫い付けることにより、フック状の部材に紐を引っ掛けて衛生薄紙ホルダーを吊しておくことができる。また、紐を２本とする場合、例えば、各紐の一端を袋体の口部付近に縫い付けることにより、結びつけることができる様々な部材に各紐の他端（自由端）を結びつけて衛生薄紙ホルダーを吊しておくことができる。
【００２１】
（６）前記袋体の外面に設けられた紐またはベルトを挿通可能な輪部をさらに備えてもよい。
このようにすれば、輪部に紐またはベルトを通すことにより、衛生薄紙を収容した衛生薄紙ホルダーをバッグのように肩に掛けたり、あるいはウエストバッグのように腰に付けることができ携帯に便利である。
【００２２】
以下、図面を参照しながら本発明の衛生薄紙ホルダーの実施形態を詳説する。
【００２３】
（実施形態１）
図１は本発明の衛生薄紙ホルダーの実施形態１の使用状態であって（Ａ）は正面図を示し、Ｂ）は平面図を示す。また、図２は実施形態１の衛生薄紙ホルダーの使用状態における断面図であり、図３は実施形態１の衛生薄紙ホルダー内に収容される折り畳み衛生薄紙束の折り畳み方を説明する模式図である。
【００２４】
図１〜図３に示すように、実施形態１の衛生薄紙ホルダー１０は、伸縮可能な口部１１ｂを有する袋体１１を備え、袋体１１の内部に収容した折り畳み衛生薄紙束Ｔの衛生薄紙Ｔnを口部１１ｂから引き出し可能に構成されている。なお、実施形態１では、折り畳み衛生薄紙束Ｔ（以下、単に「衛生薄紙束Ｔ」と言う場合がある）を収容した衛生薄紙ホルダー１０について説明するが、実施形態１の衛生薄紙ホルダー１０にてロール状衛生薄紙Ｒ（図６参照）を収容するようにしてもよい。
【００２５】
袋体１１は、外側生地部１１ａ1と内側生地部１１ａ2とを有する二重構造であり、外側生地部１１ａ1と内側生地部１１ａ2との間に粒子状の充填材１２が充填されている。また、外側生地部１１ａ1と内側生地部１１ａ2との間における口部１１ｂの部分には輪ゴム１３が設けられている。
【００２６】
この輪ゴム１３は、袋体１０の口部１１ｂの大きさを規定する。口部１１ｂの大きさは、袋体１０内の衛生薄紙Ｔnがスムーズに引っ張り出せる程度の大きさが好ましい。実施形態１の場合、平面的に視て、袋体１０の直径は１５ｃｍ程度であるのに対し、口部１１ｂの直径は３〜１０ｃｍ程度に設定され、好ましくは６．５ｃｍ程度である。このとき、袋体１０および口部１１ｂを平面的に視た形状は必ずしも円形に限らず、三角形、四角形、五角形等の多角形状でもよいため、多角形の場合は前記直径の円内に収まる程度の大きさに袋体１０および口部１１ｂが形成される。なお、袋体１０の容量は、市販の真新しいティッシュボックスの全ての衛生薄紙束Ｔまたは市販の真新しい１個のトイレットペーパーを収容できる程度の容量に設定される。
【００２７】
この袋体１１を構成する生地は、粒子状の充填材１２が通らない織り目または編み目を有していれば特に限定されないが、伸縮性を有していることが袋体１１の変形性を高められる上で好ましい。伸縮性を有する生地としては、例えば、ストレッチ試験で３０〜３００％の伸縮性を有する生地を用いることができ、具体的には、弾性を有するスパンデックス（ポリウレタン弾性糸）が挙げられる。なお、袋の一部が、伸縮性を有する生地にて構成されていてもよい。
【００２８】
粒子状の充填材１２としては、袋体１１の生地の織り目または編み目を通らない大きさのものであれば特に限定されず、例えば、発泡樹脂粒子、ガラスビーズ、プラスチックビーズ、そば殻、木製ペレット、小石、砂等が挙げられる。これらの中でも、発泡樹脂粒子は、袋体１１を軽量化でき、袋体１１の感触が良好となり、しかも、比較的低コストで得られるため好ましい。発泡樹脂粒子として、具体的には、平均粒子径０．３〜３．０ｍｍ程度の発泡ポリスチレン系樹脂粒子が好ましい。なお、袋体１０内の充填材１２の量の一例としては、３５０ｃｃ程度とすることができる。
【００２９】
また、この衛生薄紙ホルダー１０は、折り畳み衛生薄紙束Ｔにおける最後使用分の衛生薄紙Ｔ1と折り重ねられた状態で袋体１１内に収容されるストッパーシート１４をさらに備えている。
【００３０】
ここで、衛生薄紙束Ｔおよびストッパーシート１４について説明する。
通常、衛生薄紙束Ｔは、１枚または２枚１組の衛生薄紙Ｔが複数折り畳まれている。その折り畳み方は次の通りである。例えば、図３に示すように、中間に位置する二つ折りの衛生薄紙Ｔ8の折り目とは反対側の開口部（以下、単に「開口部」と言う）に、上に位置する二つ折りの衛生薄紙Ｔ9の折り目とは反対側の下の端部（以下、単に「端部」と言う）Ｔ9dが差し込まれ、かつ下に位置する二つ折りの衛生薄紙Ｔ7の折り目とは反対側の上の端部Ｔ7uが差し込まれる。一方、中間に位置する衛生薄紙Ｔ8の上下の端部Ｔ8u、Ｔ8dが、上下に位置する衛生薄紙Ｔ7、Ｔ9の開口部に差し込まれる。
【００３１】
このようにして複数の衛生薄紙Ｔを折り重ねた衛生薄紙束Ｔは、市販のティッシュボックス内に収容されているため、紙箱内から衛生薄紙束Ｔを取り出す。そして、衛生薄紙束Ｔにおける最後使用分の衛生薄紙Ｔ1の下の端部Ｔ1dを、二つ折りのストッパーシート１４の開口部に差し込み、かつストッパーシート１４の上の端部１４uを衛生薄紙Ｔ1の開口部に差し込む。このようにストッパーシート１４を折り重ねて取り付けた衛生薄紙束Ｔの長手方向中間部をストッパーシート１４側へ折り曲げた状態とし、その状態で衛生薄紙ホルダー１０の袋体１１の口部１１ｂを拡げて内部に入れ込む（図２参照）。
【００３２】
このようにして衛生薄紙束Ｔを衛生薄紙ホルダー１０内に収容することにより、最上部の衛生薄紙Ｔnの上端Ｔnuを引き上げて取り出すと、次の衛生薄紙の上端が引っ張られて口部１０ｂから突出した状態となり、このようにして最後使用分の衛生薄紙Ｔ1まで１枚または１組ずつ取り出すことができる。このとき、ストッパーシート１４が口部１０ｂよりも大きいことと、ボール紙や硬質プラスチックシート等からなる折り曲げたストッパーシート１４が復元力によって平坦に戻ろうとすることにより、衛生薄紙束Ｔの残量が少なくなって一度に全部引き出されることはなく１枚または１組ずつ最後まで衛生薄紙Ｔを引き出すことができる。
【００３３】
次に、実施形態１の衛生薄紙ホルダー１０の製造方法について説明する。
図４は実施形態１の衛生薄紙ホルダーの製造方法を説明する第１の図であり、図５は実施形態１の衛生薄紙ホルダーの製造方法を説明する第２の図である。
【００３４】
図１、図２、図４および図５に示すように、衛生薄紙ホルダー１０の袋体１１は、複数枚の生地を縫い合わせることにより形成されている。実施形態１の場合、長方形の生地１１ｘを５枚、円形の生地１１ｙを１枚、銀杏の葉形の生地１１ｚを縫い合わせることにより、まず、図４に示すような先細筒形の袋１１Ｆを形成する。このとき、一対の生地１１ｚを重ね合わせて縫い合わせるが、それらの先細部分１１ｚａは縫い合わせない。なお、図４において、符号１１ｓは縫い合わせ部である。
【００３５】
次に、袋１１Ｆの長手方向中間部に輪ゴム１３を取り付ける。このとき、例えば、各生地１１ｘの縫い合わせ部１１ｓを縫い合わせて輪ゴム１３を通す輪部１１ｓａを形成する。あるいは、袋１１Ｆの長手方向中間部に平ゴムを直接縫い付ける（図示省略）。
次に、形成した袋１１Ｘを、図５に示すように裏返す。このとき、袋１１Ｘの縫い合わせられていない先細部分１１ｚａを起点にして裏返す。
【００３６】
続いて、縫い合わせられていない先細部分１１ｚａから袋１１Ｘの内部に充填材１２である微粒子を適量充填し、先細部分１１ｚａを縫い合わせた後、縫い合わせた先細部分１１ｚｂを輪ゴム１３側へ押し込むことにより、輪ゴム１３部分に口部１１ｂを有する袋体１１が形成される（図２参照）。
【００３７】
これにより、袋体１１の外側が外側生地部１１ａ1となり内側が内側生地部１１ａ2となり、外側生地部１１ａ1と内側生地部１１ａ2との間の空間に微粒子の充填材１２が収まった衛生薄紙ホルダー１０となる。なお、充填剤１２は外側生地部１１ａ1と内側生地部１１ａ2との間の空間の下部に溜まって衛生薄紙束Ｔを押し上げているため、衛生薄紙束Ｔの残量が少なくなってもスムーズに衛生薄紙Ｔnを引き出すことができる。
【００３８】
なお、実施形態１では、袋体１１の外周面を形成する長方形の生地１１ｘを５枚使用することにより袋体１１の平面的に視た形状が略五角形となる場合を例示したが、長方形の生地の枚数は３枚、４枚、６枚以上でもよい。この場合、袋体１１の平面的に視た形状は略三角形、略四角形、略六角形等となる。
【００３９】
（実施形態２）
図６は実施形態２の衛生薄紙ホルダーの使用状態における断面図である。なお、図６において、図２中の要素と同様の要素には同一の符号を付している。
実施形態２の衛生薄紙ホルダー１０は実施形態１と同じものであるが、その使用方法が異なっている。この場合、市販の衛生薄紙束を半分にカットし、ハーフサイズの衛生薄紙束Ｔhを衛生薄紙ホルダー１０に収容している。この際、通常の衛生薄紙束の半分のサイズであるため、実施形態１のように折り曲げることなく収容できる。
【００４０】
このような使用方法によれば、衛生薄紙束の衛生薄紙の枚数を２倍に増加することができるため、より経済的な使い方をすることができる。なお、図６では、実施形態１で使用していたストッパーシート１４（図２、図３参照）を使用していない状態を例示しているが、ストッパーシート１４を使用してもよい。
【００４１】
（実施形態３）
図７は実施形態３の衛生薄紙ホルダーの使用状態における断面図である。なお、図７において、図２中の要素と同様の要素には同一の符号を付している。
実施形態３の衛生薄紙ホルダー１０も、実施形態１と同じものであるが、その使用方法が異なっている。この場合、市販の芯無しロール状衛生薄紙Ｒｘの貫通孔Ｒｘ2側の端部Ｒｘ1を捲り剥がして貫通孔Ｒｘ2から外部へ引き出す。あるいは、市販のロール状衛生薄紙の芯（紙製の筒）を抜き取って芯無しロール状衛生薄紙Ｒｘを作製し、その芯無しロール状衛生薄紙Ｒｘの貫通孔Ｒｘ2側の端部Ｒｘ1を捲り剥がして貫通孔Ｒｘ2から外部へ引き出す。そして、芯無しロール状衛生薄紙Ｒｘを袋体１１内に縦向きに収容する。すなわち、芯無しロール状衛生薄紙Ｒｘの貫通孔Ｒｘ2を袋体１１の口部１１ｂに向けて開口するように芯無しロール状衛生薄紙Ｒｘを袋体１１内に収容する。
【００４２】
このようにすれば、衛生薄紙束よりも低コストのロール状衛生薄紙Ｒｘを衛生薄紙ホルダー１０内に収容して使用することができるため経済的である。また、芯無しロール状衛生薄紙Ｒｘの端部Ｒｘ1を外部へ引き出す際には、芯無しロール状衛生薄紙Ｒｘが袋体１１内で回転せずとも引き出すことができ、しかも引き出される衛生薄紙部分が袋体１１に擦れることがないためスムーズに引き出すことができる。また、端部Ｒｘ1を掴んで芯無しロール状衛生薄紙Ｒｘを引き出して切ることにより、必要な量（長さ）の衛生薄紙を使用することができる。すなわち、使用者側で衛生薄紙の必要量を調整することができる。
【００４３】
（実施形態４）
図８は実施形態４の衛生薄紙ホルダーの使用状態における断面図である。なお、図８において、図２中の要素と同様の要素には同一の符号を付している。
実施形態４の衛生薄紙ホルダー１０ｘは、実施形態３における芯無しロール状衛生薄紙Ｒｘの外周面を覆う状態で袋体１１内に収容されるカバーシート１５をさらに備えている。実施形態４におけるその他の構成は実施形態３と同様である。
【００４４】
カバーシート１５は、例えば、ボール紙、プラスチックシート等のシート材料を円筒形またはＣ形に加工したものである。
実施形態４によれば、実施形態３の効果を奏すると共に、カバーシート１５を袋体１１内に設けることにより、芯無しロール状衛生薄紙Ｒｘの型崩れを防止することができるため、芯無しロール状衛生薄紙Ｒｘを最後までスムーズに引き出して使い切ることができる。
【００４５】
（実施形態５）
図９は実施形態５の衛生薄紙ホルダーの使用状態における断面図である。なお、図９において、図２中の要素と同様の要素には同一の符号を付している。
実施形態５の衛生薄紙ホルダー２０は、袋体１１における外側生地部１１ａ1と内側生地部１１ａ2との間の空間に微粒子の充填材１２がないこと以外は実施形態１の衛生薄紙ホルダー１０と同様の構成を有している（図２参照）。
【００４６】
実施形態５の場合、衛生薄紙ホルダー２０内に芯有りのロール状衛生薄紙Ｒを横向きに収容した場合を例示している。
この場合も、ロール状衛生薄紙Ｒの端部Ｒ1を袋体１１の口部１１ｂから引き出しておき、端部Ｒ1を掴んでロール状衛生薄紙Ｒを引き出して切ることにより、必要な量（長さ）の衛生薄紙を使用することができる。すなわち、使用者側で衛生薄紙の必要量を調整することができる。
【００４７】
実施形態５の場合、ロール状衛生薄紙Ｒの端部Ｒ1を連続的に引き出した際に袋体１１内でロール状衛生薄紙Ｒが回転し易いように、実施形態１で用いられる充填材１３（図２参照）が省略されている。なお、実施形態５では芯有りのロール状衛生薄紙Ｒを使用する場合を例示したが、芯無しのロール状衛生薄紙Ｒｘを使用してもよい（図７参照）。
【００４８】
（実施形態６）
図１０は実施形態６の衛生薄紙ホルダーの使用状態における断面図である。なお、図１０において、図２中の要素と同様の要素には同一の符号を付している。
実施形態６の衛生薄紙ホルダー２０ｘは、実施形態５における芯有りロール状衛生薄紙Ｒの外周面を覆う状態で袋体１１内に収容されるカバーシート２５をさらに備えている。実施形態６におけるその他の構成は実施形態５と同様である。
【００４９】
カバーシート２５は、例えば、ボール紙、プラスチックシート等のシート材料をＣ形に加工したものである。
実施形態６によれば、実施形態５の効果を奏すると共に、カバーシート２５を袋体１１内に設けることにより、芯有りロール状衛生薄紙Ｒの型崩れを防止とすることができると共に、袋１１内での芯有りロール状衛生薄紙Ｒの回転をスムーズにすることができるため、芯有りロール状衛生薄紙Ｒを最後までスムーズに引き出して使い切ることができる。なお、実施形態６では芯有りのロール状衛生薄紙Ｒを使用する場合を例示したが、芯無しのロール状衛生薄紙Ｒｘを使用してもよい（図７参照）。
【００５０】
（実施形態７）
図１１は実施形態７の衛生薄紙ホルダーの使用状態における斜視図であり、図１２は実施形態７の衛生薄紙ホルダーをベビーカーに吊り下げた使用状態を示す説明図である。なお、図１１において、図２中の要素と同様の要素には同一の符号を付している。
実施形態７の衛生薄紙ホルダー３０は、袋体１０に取り付けられた紐３５をさらに備えたこと以外は、実施形態１〜６と同様である。
【００５１】
実施形態７の場合、図１１に示すように、２本の紐３５の一端が袋体１０の口部１１ｂの内側であって、隣接する生地１１ｘと生地１１ｘの間部分に縫い付けられている。
２本の紐３５を設けることにより、例えば、図１２に示すように、ベビーカーＧのフレームＧｆに衛生薄紙ホルダー３０を吊り下げるように紐３５で輪を作る、あるいは紐３５を直接フレームＧｆに結びつけることができる。この場合、幼児が手で触れそうなベビーカーＧの部分を衛生薄紙Ｔn（例えば、ウェットティッシュ）で拭いたり、衛生薄紙Ｔｎで幼児の手や顔を拭くことができるため、外出先でも幼児の衛生状態を保つことができる。
【００５２】
また、例えば、自動車の運転席や助手席のヘッドレストの付け根部分に紐３５を結びつけることにより車内に衛生薄紙ホルダー３０を備え付けることができ、車内においても必要時に衛生薄紙を直ぐに使用することができて便利であり、しかも衛生薄紙ホルダー３０が邪魔になることもない。
また、例えば、高齢者や身体障害者の介護施設のリビングや食堂に設置されている椅子の背もたれに紐３５を結びつけることにより、背もたれの裏側に衛生薄紙ホルダー３０を括り付けることができるため、椅子に座った被介護者または介護者が必要時に直ぐに衛生薄紙Ｔnを使用することができ便利である。またこれにより、テーブル上にティッシュボックスを置く必要がなくなってすっきりすると共に、テーブル上のティッシュボックスを被介護者または介護者が離れた位置まで取りに行くといった煩わしさがなくなる。
【００５３】
また、例えば、家庭の冷蔵庫に貼り付けられたフックやふきん掛け等の部材に紐３５を結びつけたり引っ掛けることにより、濡れやすいキッチン周りに衛生薄紙ホルダー３０を濡らさずに常備しておくことができる。
なお、紐３５を使用しない場合は、紐３５を袋体１０内に入れておくことができるため邪魔にならない。このとき、紐の３５を口部１１ｂの内側に縫い付けておくことにより、紐３５が完全に袋体１０内に収まり外部から見えないため、外観上もすっきりする。
【００５４】
（実施形態８）
図１３は実施形態８の衛生薄紙ホルダーの使用状態における斜視図であり、図１４は実施形態８の衛生薄紙ホルダーを紐を用いて使用者の肩に掛けた使用状態を示す説明図である。なお、図１３において、図２中の要素と同様の要素には同一の符号を付している。
実施形態８の衛生薄紙ホルダー４０は、袋体１０の外面に設けられた紐またはベルトを挿通可能な輪部４５をさらに備えたこと以外は、実施形態１〜６と同様である。
【００５５】
実施形態８の場合、図１３に示すように、輪部４５は、長方形の小さい生地の長手方向両端を、袋体１０の外側生地部１１ａ1を構成する長方形の生地１１ｘ（図５参照）に縫い付けて形成されている。
輪部４５を設けることにより、例えば、輪部４５に紐またはベルトを通してそれらで輪を作ることにより、図１４に示すように、衛生薄紙ホルダー３０を肩掛けバッグのようにして携帯することができるため、携帯および衛生薄紙Ｔnの取り出しが便利である。
【００５６】
なお、図１４では、輪部４５に通した紐Ｃの両端を結んで輪を作り、その輪を使用者の肩に掛けて衛生薄紙ホルダー５０を吊り下げた場合を例示しているが、このような使用態様の他に、例えば、家庭の冷蔵庫の外面に吸盤や磁石で貼り付けられたクリップで輪部４５を摘んで衛生薄紙ホルダー４０を吊り下げることもできる。
【００５７】
（実施形態９）
図１５は実施形態９の衛生薄紙ホルダーの使用状態における斜視図であり、図１６は実施形態９の衛生薄紙ホルダーをベルトを用いて使用者の腰に付けた使用状態を示す説明図である。なお、図１５において、図２中の要素と同様の要素には同一の符号を付している。
実施形態９の衛生薄紙ホルダー５０も、袋体１０の外面に設けられた紐またはベルトを挿通可能な輪部５５をさらに備えたこと以外は、実施形態１〜６と同様である。
【００５８】
実施形態９の場合、図１５に示すように、輪部５５は、長方形の小さい生地の長手方向両端を、袋体１０の外側生地部１１ａ1を構成する円形の生地１１ｙ（図５参照）に縫い付けて形成されている。
輪部５５を設けることにより、例えば図１６に示すように、輪部５５に紐またはベルトＢを通し、それらを使用者の腰に巻き付けることにより、衛生薄紙ホルダー５０をウエストバッグのようにして携帯することができるため、携帯および衛生薄紙Ｔnの取り出しが便利となる。なお、図１６では、ズボンのベルトＢを利用した場合を例示している。
【００５９】
（実施形態１０）
図１７は実施形態１０の衛生薄紙ホルダーの使用状態を説明する図である。
本発明の衛生薄紙ホルダーは、図１７に示すように、室内におけるゴルフのパッティング練習に用いることができる。この場合、例えば、実施形態１の衛生薄紙ホルダーの袋体１１の外面に生地からなる的１７を縫い付けてもよく、あるいは樹脂シートからなる的１７を融着してもよい。そして、衛生薄紙束Ｔを収容した的付き衛生薄紙ホルダー１００を逆さまにしてパッティング練習器具ＰのカップホールＰｈに嵌め込んでセットする。
【００６０】
このように的付き衛生薄紙ホルダー１００をパッティング練習器具Ｐにセットし、的１７を狙ってパターＰｇにてゴルフボールＢｇを打つ。ゴルフボールＢｇが的１７に当たれば、ゴルフボールＢｇの軌道がカップホールＰｈ上にあったということであるため、ゴルフボールＢｇがカップホールＰｈに入ったと見なすことができる。このとき、的付き衛生薄紙ホルダー１００によってゴルフボールＢｇがカップホールＰｈ内に落下しないため、ゴルフボールＢｇがカップホールＰｈ内に落ちたときの衝撃音が発生しない。そのため、夜間でも他人に迷惑をかけないよう静かにパッティング練習を行うことができる。
【００６１】
また、的付き衛生薄紙ホルダー１００のクッション性によって的付き衛生薄紙ホルダー１００に当たったゴルフボールＢｇは跳ね返って練習者Ｕの元に戻るため、繰り返しパッティング練習を行うことができる。このとき、ゴルフボールＢｇの的１７への当たりが中心に近い程、ゴルフボールＢｇは真っ直ぐに跳ね返ってパッティングの定位置に戻りやすくなる。
なお、的１７を有さない実施形態１〜９の衛生薄紙ホルダーを用いても良いが、家庭内に複数の衛生薄紙ホルダーが使用されている場合は、的付き衛生薄紙ホルダー１００は練習者専用のものであると識別することができる。
【００６２】
なお、本発明の好ましい態様には、上述した複数の態様のうちの何れかを組み合わせたものも含まれる。
前述した実施の形態の他にも、この発明について種々の変形例があり得る。それらの変形例は、この発明の範囲に属さないと解されるべきものではない。この発明には、請求の範囲と均等の意味および前記範囲内でのすべての変形とが含まれるべきである。
【符号の説明】
【００６３】
１０、１０ｘ、２０、２０ｘ、３０、４０  衛生薄紙ホルダー
１１  袋体
１１ａ1  外側生地部
１１ａ2  内側生地部
１１ｂ  口部
１２  充填材
１４  ストッパーシート
１５、２５  カバーシート
３５、４５  輪部
Ｒ  芯有りのロール状衛生薄紙
Ｒｘ  芯無しのロール状衛生薄紙
Ｔ  折り畳み衛生薄紙束
Ｔ1〜Ｔn  衛生薄紙
【要約】
【課題】衛生薄紙を経済的に使用でき、かつ持ち運びに便利な衛生薄紙ホルダーを提供すること。
【解決手段】複数枚の衛生薄紙が折り畳まれてなる折り畳み衛生薄紙束またはロール状衛生薄紙を収容する袋体を備え、
前記袋体は、伸縮可能な口部を有し、内部に収容した折り畳み衛生薄紙束の衛生薄紙またはロール状衛生薄紙を前記口部から引き出し可能に構成されたことを特徴とする衛生薄紙ホルダー。
【選択図】図１【図１】
0005643947.tif 000002
【図２】
0005643947.tif 000003
【図３】
0005643947.tif 000004
【図４】
0005643947.tif 000005
【図５】
0005643947.tif 000006
【図６】
0005643947.tif 000007
【図７】
0005643947.tif 000008
【図８】
0005643947.tif 000009
【図９】
0005643947.tif 000010
【図１０】
0005643947.tif 000011
【図１１】
0005643947.tif 000012
【図１２】
0005643947.tif 000013
【図１３】
0005643947.tif 000014
【図１４】
0005643947.tif 000015
【図１５】
0005643947.tif 000016
【図１６】
0005643947.tif 000017
【図１７】
0005643947.tif 000018